(57)【要約】【課題】  高精度に被写体に対してピントを合わせることができる撮像装置及びそのプログラムを実現する。【解決手段】  シャッタボタンが半押しされると、パンフォーカスによるフォーカス処理を行い（Ｓ３）、その後、被写体の顔がどの位置にあるかを認識する第１の画像認識処理を行う（Ｓ４）。そして、被写体の顔がどの位置にあるかを認識すると（Ｓ５、Ｙ）、該認識した被写体の顔の位置をＡＦエリアとして決定し、該決定したＡＦエリアでＡＦ処理を行う。そして、シャッタボタンが全押しされると（Ｓ７、Ｙ）、静止画撮影処理を行い（Ｓ８）、該撮影処理により得られた撮影画像データに基づいて、該画像データの被写体の顔を具体的に認識する第２の画像認識処理を行う（Ｓ９）。【選択図】      図２
2011257772.tif 000002
【特許請求の範囲】
【請求項１】
被写体を撮像する撮像手段と、
被写体に対して所定のフォーカス動作を行なう第１のフォーカス制御手段と、
前記第１のフォーカス制御手段による所定のフォーカス動作が行なわれた後に、前記撮像手段により得られた画像データに基づいて、被写体位置を認識する第１の画像認識手段と、
前記第１の画像認識手段により認識された被写体位置の画像のピントが合う合焦レンズ位置にフォーカスレンズを移動させる第２のフォーカス制御手段と、
を備えたことを特徴とする撮像装置。
【請求項２】
前記第１のフォーカス制御手段は、
固定レンズ位置にフォーカスレンズを移動させることにより、被写体に対してフォーカス動作を行なうことを特徴とする請求項１記載の撮像装置。
【請求項３】
撮影シーンを判定する判定手段を備え、
前記第１のフォーカス制御手段は、
前記判定手段により判定された撮影シーンに対応するレンズ位置にフォーカスレンズを移動させることを特徴とする請求項１又は２記載の撮像装置。
【請求項４】
前記第１のフォーカス制御手段は、
フォーカスレンズのレンズ位置を変えていくとともに、前記撮像手段により得られた画像データのＡＦ評価値を検出し、該検出した複数のＡＦ評価値に基づいてフォーカスレンズを合焦レンズ位置に移動させるコントラストＡＦ手段を含むことを特徴とする請求項１記載の撮像装置。
【請求項５】
撮影シーンを判定する判定手段を備え、
前記コントラストＡＦ手段は、
前記判定手段により判定された撮影シーンに応じたサーチ範囲及び／又はサーチ間隔で、フォーカスレンズのレンズ位置を変えていくことにより前記撮像手段により得られた画像データのＡＦ評価値を検出して、フォーカスレンズを合焦レンズ位置に移動させることを特徴とする請求項４記載の撮像装置。
【請求項６】
前記第２のフォーカス制御手段は、
フォーカスレンズのレンズ位置を変えていくとともに、前記撮像手段により得られた画像データのうち、前記第１の画像認識手段により認識された被写体位置に対応する画像データのＡＦ評価値を検出し、該検出した複数のＡＦ評価値に基づいてフォーカスレンズを合焦レンズ位置に移動させることを特徴とする請求項１乃至５の何れかに記載の撮像装置。
【請求項７】
前記第１のフォーカス制御手段は、
前記第２のフォーカス制御手段よりも簡易又は迅速なフォーカス動作を行なうことを特徴とする請求項１乃至６の何れかに記載の撮像装置。
【請求項８】
ユーザが撮影準備を指示する第１の指示手段を備え、
前記第１のフォーカス制御手段は、
前記第１の指示手段により撮影準備の指示があった場合に、被写体に対して所定のフォーカス動作を行い、
前記第１の画像認識手段は、
前記第１の指示手段により撮影準備の指示があった場合に、前記第１のフォーカス制御手段によるフォーカス動作が行なわれた後に、前記撮像手段により得られた画像のデータに基づいて被写体位置を認識し、
前記第２のフォーカス制御手段は、
前記第１の指示手段により撮影準備の指示があった場合に、前記第１の画像認識手段により認識された被写体位置の画像のピントが合うようにフォーカスレンズを合焦レンズに移動させることを特徴とする請求項１乃至７の何れかに記載の撮像装置。
【請求項９】
前記撮像手段により得られた画像データに基づいて、被写体の種類を認識する第２の画像認識手段を備え、
前記第２の画像認識手段は、
前記第２のフォーカス制御手段によるフォーカス動作が行なわれた後に、前記撮像手段により得られた画像データの被写体の種類を認識することを特徴とする請求項１乃至８の何れかに記載の撮像装置。
【請求項１０】
前記第１の画像認識手段は、
前記第２の画像認識手段による画像認識よりも簡易な画像認識であることを特徴とする請求項９記載の撮像装置。
【請求項１１】
ユーザが撮影を指示する第２の指示手段と、
前記撮像手段による被写体の静止画撮影を制御する撮影制御手段と、
を備え、
前記撮影制御手段は、
前記第２のフォーカス制御手段によるフォーカス動作が行なわれた後に、前記第２の指示手段により撮影の指示があった場合には、前記撮像手段による被写体の静止画撮影を制御し、
前記第２の画像認識手段は、
前記撮影制御手段により制御された静止画撮影により得られた画像データに基づいて、被写体の種類を認識することを特徴とする請求項１乃至１０の何れかに記載の撮像装置。
【請求項１２】
前記撮像手段により得られた画像データを記録手段に記録する記録制御手段を備え、
前記記録制御手段は、
前記第２の画像認識手段により認識された被写体の種類に基づき、該認識された前記撮像手段により得られた画像データを分類して記録することを特徴とする請求項９乃至１１の何れかに記載の撮像装置。
【請求項１３】
前記記録制御手段は、
前記第２の画像認識手段により認識された被写体に対応するフォルダに、該認識された前記撮像手段により得られた画像データを記録し、
前記第２の画像認識手段により認識された被写体の種類に対応するフォルダが前記記録手段にあるか否かを判断する判断手段を備え、
前記記録制御手段は、
前記判断手段により認識された被写体の種類に対応するフォルダがあると判断した場合は、該フォルダに、該認識された前記撮像手段により得られた画像データを記録することを特徴とする請求項１２記載の撮像装置。
【請求項１４】
前記記録制御手段は、
前記判断手段により認識された被写体の種類に対応するフォルダがないと判断された場合には、該認識された被写体の種類に対応するフォルダを新たに作成し、該作成したフォルダに、該認識された前記撮像手段により得られた画像データを記録することを特徴とする請求項１３記載の撮像装置。
【請求項１５】
前記記録制御手段は、
前記判断手段により認識された被写体の種類に対応するフォルダがないと判断された場合には、該認識された前記撮像手段により得られた画像データをそのまま前記記録手段に記録することを特徴とする請求項１３記載の撮像装置。
【請求項１６】
被写体を撮像する撮像処理と、
被写体に対して所定のフォーカス動作を行なう第１のフォーカス処理と、
この第１のフォーカス処理による所定のフォーカス動作が行なわれた後に、前記撮像処理により得られた画像データに基づいて、被写体位置を認識する画像認識処理と、
この画像認識処理により認識された被写体位置の画像のピントが合う合焦レンズ位置にフォーカスレンズを移動させる第２のフォーカス処理と、
を含み、上記各処理をコンピュータで実行させることを特徴とするプログラム。
【発明の詳細な説明】
【技術分野】
【０００１】
本発明は、撮像装置及びそのプログラムに係り、詳しくは、オートフォーカス機能を備えた撮像装置及びそのプログラムに関する。
【背景技術】
【０００２】
デジタルカメラにおいては、良好な画像を得るため撮影したい被写体に対してピントを合わせるオートフォーカス機能というものがある。
しかしながら、従来のオートフォーカス機能においては、撮影したい人物にピントが合わず、風景などの他の被写体にピントが合ってしまい、本当に撮影したい被写体にピントが合わないという問題があった。
この問題を解決するために、画像認識処理により被写体の顔を認識し、該認識した顔の位置にピントが合うようにオートフォーカスを行なうＡＦ処理も登場してきている（特許文献）。
【先行技術文献】
【特許文献】
【０００３】
【特許文献１】公開特許公報  特開２００４−３１７６９９
【発明の概要】
【発明が解決しようとする課題】
【０００４】
しかしながら、従来の画像認識によるＡＦ処理によれば、ピントが合っていない状態、つまり、画像がボケた状態で画像認識処理により顔認識した場合には、顔認識の精度が落ちてしまい、その結果、顔の位置にピントが合うようなオートフォーカスを行なうことができない場合が発生してしまうという問題点があった。
【０００５】
そこで本発明は、かかる従来の問題点に鑑みてなされたものであり、高精度に被写体に対してピントを合わせることができる撮像装置及びそのプログラムを提供することを目的とする。
【課題を解決するための手段】
【０００６】
上記目的達成のため、請求項１記載の発明による撮像装置は、被写体を撮像する撮像手段と、
被写体に対して所定のフォーカス動作を行なう第１のフォーカス制御手段と、
前記第１のフォーカス制御手段による所定のフォーカス動作が行なわれた後に、前記撮像手段により得られた画像データに基づいて、被写体位置を認識する第１の画像認識手段と、
前記第１の画像認識手段により認識された被写体位置の画像のピントが合う合焦レンズ位置にフォーカスレンズを移動させる第２のフォーカス制御手段と、
を備えたことを特徴とする。
【０００７】
また、例えば、請求項２に記載されているように、前記第１のフォーカス制御手段は、
固定レンズ位置にフォーカスレンズを移動させることにより、被写体に対してフォーカス動作を行なうようにしてもよい。
【０００８】
また、例えば、請求項３に記載されているように、撮影シーンを判定する判定手段を備え、
前記第１のフォーカス制御手段は、
前記判定手段により判定された撮影シーンに対応するレンズ位置にフォーカスレンズを移動させるようにしてもよい。
【０００９】
また、例えば、請求項４に記載されているように、前記第１のフォーカス制御手段は、
フォーカスレンズのレンズ位置を変えていくとともに、前記撮像手段により得られた画像データのＡＦ評価値を検出し、該検出した複数のＡＦ評価値に基づいてフォーカスレンズを合焦レンズ位置に移動させるコントラストＡＦ手段を含むようにしてもよい。
【００１０】
また、例えば、請求項５に記載されているように、撮影シーンを判定する判定手段を備え、
前記コントラストＡＦ手段は、
前記判定手段により判定された撮影シーンに応じたサーチ範囲及び／又はサーチ間隔で、フォーカスレンズのレンズ位置を変えていくことにより前記撮像手段により得られた画像データのＡＦ評価値を検出して、フォーカスレンズを合焦レンズ位置に移動させるようにしてもよい。
【００１１】
また、例えば、請求項６に記載されているように、前記第２のフォーカス制御手段は、
フォーカスレンズのレンズ位置を変えていくとともに、前記撮像手段により得られた画像データのうち、前記第１の画像認識手段により認識された被写体位置に対応する画像データのＡＦ評価値を検出し、該検出した複数のＡＦ評価値に基づいてフォーカスレンズを合焦レンズ位置に移動させるようにしてもよい。
【００１２】
また、例えば、請求項７に記載されているように、前記第１のフォーカス制御手段は、
前記第２のフォーカス制御手段よりも簡易又は迅速なフォーカス動作を行なうようにしてもよい。
【００１３】
また、例えば、請求項８に記載されているように、ユーザが撮影準備を指示する第１の指示手段を備え、
前記第１のフォーカス制御手段は、
前記第１の指示手段により撮影準備の指示があった場合に、被写体に対して所定のフォーカス動作を行い、
前記第１の画像認識手段は、
前記第１の指示手段により撮影準備の指示があった場合に、前記第１のフォーカス制御手段によるフォーカス動作が行なわれた後に、前記撮像手段により得られた画像のデータに基づいて被写体位置を認識し、
前記第２のフォーカス制御手段は、
前記第１の指示手段により撮影準備の指示があった場合に、前記第１の画像認識手段により認識された被写体位置の画像のピントが合うようにフォーカスレンズを合焦レンズに移動させるようにしてもよい。
【００１４】
また、例えば、請求項９に記載されているように、前記撮像手段により得られた画像データに基づいて、被写体の種類を認識する第２の画像認識手段を備え、
前記第２の画像認識手段は、
前記第２のフォーカス制御手段によるフォーカス動作が行なわれた後に、前記撮像手段により得られた画像データの被写体の種類を認識するようにしてもよい。
【００１５】
また、例えば、請求項１０に記載されているように、前記第１の画像認識手段は、
前記第２の画像認識手段による画像認識よりも簡易な画像認識であるようにしてもよい。
【００１６】
また、例えば、請求項１１に記載されているように、ユーザが撮影を指示する第２の指示手段と、
前記撮像手段による被写体の静止画撮影を制御する撮影制御手段と、
を備え、
前記撮影制御手段は、
前記第２のフォーカス制御手段によるフォーカス動作が行なわれた後に、前記第２の指示手段により撮影の指示があった場合には、前記撮像手段による被写体の静止画撮影を制御し、
前記第２の画像認識手段は、
前記撮影制御手段により制御された静止画撮影により得られた画像データに基づいて、被写体の種類を認識するようにしてもよい。
【００１７】
また、例えば、請求項１２に記載されているように、前記撮像手段により得られた画像データを記録手段に記録する記録制御手段を備え、
前記記録制御手段は、
前記第２の画像認識手段により認識された被写体の種類に基づき、該認識された前記撮像手段により得られた画像データを分類して記録するようにしてもよい。
【００１８】
また、例えば、請求項１３に記載されているように、前記記録制御手段は、
前記第２の画像認識手段により認識された被写体に対応するフォルダに、該認識された前記撮像手段により得られた画像データを記録し、
前記第２の画像認識手段により認識された被写体の種類に対応するフォルダが前記記録手段にあるか否かを判断する判断手段を備え、
前記記録制御手段は、
前記判断手段により認識された被写体の種類に対応するフォルダがあると判断した場合は、該フォルダに、該認識された前記撮像手段により得られた画像データを記録するようにしてもよい。
【００１９】
また、例えば、請求項１４に記載されているように、前記記録制御手段は、
前記判断手段により認識された被写体の種類に対応するフォルダがないと判断された場合には、該認識された被写体の種類に対応するフォルダを新たに作成し、該作成したフォルダに、該認識された前記撮像手段により得られた画像データを記録するようにしてもよい。
【００２０】
また、例えば、請求項１５に記載されているように、前記記録制御手段は、
前記判断手段により認識された被写体の種類に対応するフォルダがないと判断された場合には、該認識された前記撮像手段により得られた画像データをそのまま前記記録手段に記録するようにしてもよい。
【００２１】
上記目的達成のため、請求項１６記載の発明によるプログラムは、被写体を撮像する撮像処理と、
被写体に対して所定のフォーカス動作を行なう第１のフォーカス処理と、
この第１のフォーカス処理による所定のフォーカス動作が行なわれた後に、前記撮像処理により得られた画像データに基づいて、被写体位置を認識する画像認識処理と、
この画像認識処理により認識された被写体位置の画像のピントが合う合焦レンズ位置にフォーカスレンズを移動させる第２のフォーカス処理と、
を含み、上記各処理をコンピュータで実行させることを特徴とする。
【発明の効果】
【００２２】
請求項１記載の発明によれば、被写体を撮像する撮像手段と、被写体に対して所定のフォーカス動作を行なう第１のフォーカス制御手段と、前記第１のフォーカス制御手段による所定のフォーカス動作が行なわれた後に、前記撮像手段により得られた画像データに基づいて、被写体位置を認識する第１の画像認識手段と、前記第１の画像認識手段により認識された被写体位置の画像のピントが合う合焦レンズ位置にフォーカスレンズを移動させる第２のフォーカス制御手段と、を備えるようにしたので、確実に被写体位置を認識することができ、高精度に被写体にピントが合わせることができる。
【００２３】
請求項２記載の発明によれば、前記第１のフォーカス制御手段は、固定レンズ位置にフォーカスレンズを移動させることにより、被写体に対してフォーカス動作を行なうようにしたので、迅速に被写体に対してピントを合わすことができる。また、撮像している被写体全般にピントを合わすことができるので、どの位置に撮影したい被写体が合っても、その被写体にピントを合わすことができ、該被写体位置を認識することができる。
【００２４】
請求項３記載の発明によれば、撮影シーンを判定する判定手段を備え、前記第１のフォーカス制御手段は、前記判定手段により判定された撮影シーンに対応するレンズ位置にフォーカスレンズを移動させるようにしたので、迅速、且つ、撮影シーンの状況に応じたオートフォーカスを行なうことできる。また、どの位置に撮影したい被写体があっても、その被写体にピントを合わすことができ、該被写体位置を認識することができる。
【００２５】
請求項４記載の発明によれば、前記第１のフォーカス制御手段は、フォーカスレンズのレンズ位置を変えていくとともに、前記撮像手段により得られた画像データのＡＦ評価値を検出し、該検出した複数のＡＦ評価値に基づいてフォーカスレンズを合焦レンズ位置に移動させるコントラストＡＦ手段を含むようにしたので、被写体に対してピントを合わせることができる。
【００２６】
請求項５記載の発明によれば、撮影シーンを判定する判定手段を備え、前記コントラストＡＦ手段は、前記判定手段により判定された撮影シーンに応じたサーチ範囲及び／又はサーチ間隔で、フォーカスレンズのレンズ位置を変えていくことにより前記撮像手段により得られた画像データのＡＦ評価値を検出して、フォーカスレンズを合焦レンズ位置に移動させるようにしたので、撮影シーンの状況に応じたコントラストＡＦ処理を行うことができる。
【００２７】
請求項６記載の発明によれば、前記第２のフォーカス制御手段は、フォーカスレンズのレンズ位置を変えていくとともに、前記撮像手段により得られた画像データのうち、前記第１の画像認識手段により認識された被写体位置に対応する画像データのＡＦ評価値を検出し、該検出した複数のＡＦ評価値に基づいてフォーカスレンズを合焦レンズ位置に移動させるようにしたので、高精度に認識した被写体位置にピントを合わせることができる。
【００２８】
請求項７記載の発明によれば、前記第１のフォーカス制御手段は、前記第２のフォーカス制御手段よりも簡易又は迅速なフォーカス動作を行なうようにしたので、第１のＡＦ制御手段は、迅速に被写体に対してピントを合わすことができ、第２のＡＦ制御手段は、高精度に認識した被写体位置にピントを合わすことができる。
【００２９】
請求項８記載の発明によれば、ユーザが撮影準備を指示する第１の指示手段を備え、前記第１のフォーカス制御手段は、前記第１の指示手段により撮影準備の指示があった場合に、被写体に対して所定のフォーカス動作を行い、前記第１の画像認識手段は、前記第１の指示手段により撮影準備の指示があった場合に、前記第１のフォーカス制御手段によるフォーカス動作が行なわれた後に、前記撮像手段により得られた画像のデータに基づいて被写体位置を認識し、前記第２のフォーカス制御手段は、前記第１の指示手段により撮影準備の指示があった場合に、前記第１の画像認識手段により認識された被写体位置の画像のピントが合うようにフォーカスレンズを合焦レンズに移動させるようにしたので、ユーザが高精度に被写体にピントを合わせたいと思ったときに、認識した被写体位置にピントを合わせることができる。
【００３０】
請求項９記載の発明によれば、前記撮像手段により得られた画像データに基づいて、被写体の種類を認識する第２の画像認識手段を備え、前記第２の画像認識手段は、前記第２のフォーカス制御手段によるフォーカス動作が行なわれた後に、前記撮像手段により得られた画像データの被写体の種類を認識するようにしたので、高精度に被写体の種類を認識することができる。つまり、人物、動物、植物、自動車等であるか否か等を認識し、人物である場合には誰であるか、動物である場合には、犬や猫であるか等を具体的に認識することができる。
【００３１】
請求項１０記載の発明によれば、前記第１の画像認識手段は、前記第２の画像認識手段による画像認識よりも簡易な画像認識であるようにしたので、第１の画像認識手段は、迅速に被写体の位置を認識することができ、第２の画像認識手段は、高精度に被写体の種類を認識することができる。
【００３２】
請求項１１記載の発明によれば、ユーザが撮影を指示する第２の指示手段と、前記撮像手段による被写体の静止画撮影を制御する撮影制御手段と、を備え、前記撮影制御手段は、前記第２のフォーカス制御手段によるフォーカス動作が行なわれた後に、前記第２の指示手段により撮影の指示があった場合には、前記撮像手段による被写体の静止画撮影を制御し、前記第２の画像認識手段は、前記撮影制御手段により制御された静止画撮影により得られた画像データに基づいて、被写体の種類を認識するようにしたので、ユーザが撮影したいと思った撮影画像データに基づいて、高精度に被写体の種類を認識することができる。
【００３３】
請求項１２記載の発明によれば、前記撮像手段により得られた画像データを記録手段に記録する記録制御手段を備え、前記記録制御手段は、前記第２の画像認識手段により認識された被写体の種類に基づき、該認識された前記撮像手段により得られた画像データを分類して記録するようにしたので、撮影画像データを、認識した被写体の種類毎に分類することができる。
【００３４】
請求項１３記載の発明によれば、前記記録制御手段は、前記第２の画像認識手段により認識された被写体に対応するフォルダに、該認識された前記撮像手段により得られた画像データを記録し、前記第２の画像認識手段により認識された被写体の種類に対応するフォルダが前記記録手段にあるか否かを判断する判断手段を備え、前記記録制御手段は、前記判断手段により認識された被写体の種類に対応するフォルダがあると判断した場合は、該フォルダに、該認識された前記撮像手段により得られた画像データを記録するようにしたので、該認識した被写体に対応するフォルダがあると判断した場合には、該撮影画像データをフォルダに記録することができ、撮影画像データを被写体の種類毎に分類することができる。
【００３５】
請求項１４記載の発明によれば、前記記録制御手段は、前記判断手段により認識された被写体の種類に対応するフォルダがないと判断された場合には、該認識された被写体の種類に対応するフォルダを新たに作成し、該作成したフォルダに、該認識された前記撮像手段により得られた画像データを記録するようにしたので、認識した被写体の顔に対応するフォルダがない場合であっても、撮影画像データを被写体の種類毎に分類することができる。
【００３６】
請求項１５記載の発明によれば、前記記録制御手段は、前記判断手段により認識された被写体の種類に対応するフォルダがないと判断された場合には、該認識された前記撮像手段により得られた画像データをそのまま前記記録手段に記録するようにしたので、分類する必要のない撮影画像データは分類されずに記録することができる。
【００３７】
請求項１６記載の発明によれば、デジタルカメラ、パソコン等に読み込ませることにより、本発明の撮像装置を実現することができる。
【図面の簡単な説明】
【００３８】
【図１】本発明の実施の形態のデジタルカメラのブロック図である。
【図２】実施の形態のデジタルカメラの動作を示すフローチャートである。
【図３】第１の画像認識処理後に表示されたスルー画像及びフォーカスフレームの様子を示すものである。
【発明を実施するための形態】
【００３９】
以下、本実施の形態について、デジタルカメラを適用した一例として図面を参照して詳細に説明する。
［実施の形態］
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り兼用シャッタ４、ＣＣＤ５、ＴＧ（timing generator）６、ユニット回路７、ＤＲＡＭ８、メモリ９、ＣＰＵ１０、フラッシュメモリ１１、画像表示部１２、キー入力部１３、音声処理部１４、ストロボ駆動部１５、ストロボ発光部１６、を備えている。
【００４０】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるフォーカスモータ、ズームモータと、ＣＰＵ１０からの制御信号にしたがってフォーカスモータ、ズームモータをそれぞれ光軸方向に駆動させるフォーカスモータドライバ、ズームモータドライバから構成されている。
【００４１】
絞り兼用シャッタ４は、図示しない駆動回路を含み、駆動回路はＣＰＵ１０から送られてくる制御信号にしたがって絞り兼用シャッタを動作させる。この絞り兼用シャッタは、絞りとシャッタとして機能する。
絞りとは、撮影レンズ２から入ってくる光の量を制御する機構のことをいい、シャッタとは、ＣＣＤ５に光を当てる時間を制御する機構のことをいい、ＣＣＤ５に光を当てる時間は、シャッタの開閉の速度（シャッタ速度）によって変わってくる。露出は、この絞りとシャッタ速度によって定めることができる。
【００４２】
ＣＣＤ５は、撮影レンズ２、絞り兼用シャッタ４を介して投影された被写体の光を電気信号に変換し、撮像信号としてユニット回路７に出力する。また、ＣＣＤ５は、ＴＧ６によって生成された所定周波数のタイミング信号にしたがって駆動する。ＴＧ６にはユニット回路７が接続されている。
ユニット回路７は、ＣＣＤ５から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ５の撮像信号は、ユニット回路７を経てデジタル信号としてＣＰＵ１０に送られる。
【００４３】
ＣＰＵ１０は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭＰＥＧ形式の圧縮・伸張）の処理、ＡＦ処理（コントラスト検出方式によるＡＦ処理やパンフォーカスによるＡＦ処理）、画像認識処理などを行う機能を有するとともに、デジタルカメラ１の各部を制御するワンチップマイコンである。
メモリ９には、ＣＰＵ１０の各部に必要な制御プログラム、つまり、ＡＥやＡＦ等を含む各種の制御に必要なプログラム、及び必要なデータが記録されており、ＣＰＵ１０は、前記プログラムに従い動作することにより本発明の撮像手段として機能する。
【００４４】
ＤＲＡＭ８は、ＣＣＤ５によって撮像された後、ＣＰＵ１０に送られてきた画像データを一時記憶するバッファメモリとして使用されるとともに、ＣＰＵ１０のワーキングメモリとして使用される。
フラッシュメモリ１１は、ＣＣＤ５によって撮像された画像データなどを保存しておく記録媒体である。
【００４５】
画像表示部１２は、カラーＬＣＤとその駆動回路を含み、撮影待機状態にあるときには、ＣＣＤ５によって撮像された被写体をスルー画像として表示し、記録画像の再生時には、保存用フラッシュメモリ１１から読み出され、伸張された記録画像を表示させる。
キー入力部１３は、シャッタボタン、ズーム連写キー、十字キー、ＳＥＴキー等の複数の操作キーを含み、ユーザのキー操作に応じた操作信号をＣＰＵ１０に出力する。
【００４６】
音声処理部１４は、内蔵マイク、アンプ、Ａ／Ｄ変換器、Ｄ／Ａ変換器、アンプ、内蔵スピーカ等を含み、音声付画像の撮影時には、内蔵マイクに入力された音声をデジタル信号に変換してＣＰＵ１０に送る。ＣＰＵ１０は、送られてきた音声データは、バッファメモリ（ＤＲＡＭ８）に順次記憶され、ＣＣＤ５によって撮像された画像データとともにフラッシュメモリ１１に記録される。
また、音声処理部１４は、音声付画像の再生時には、各画像データに付属する音声データに基づく音声等を内蔵スピーカから放音する。
【００４７】
ストロボ駆動部１５は、ＣＰＵ１０の制御信号にしたがって、ストロボ発光部１６を閃光駆動させ、ストロボ発光部１６はストロボを閃光させる。ＣＰＵ１０は、図示しない測光回路によって撮影シーンが暗いか否かを判断し、撮影シーンが暗いと判断し、且つ、撮影を行うと判断した場合（シャッタボタン押下時）には、ストロボ駆動部１５に制御信号を送る。
【００４８】
Ｂ．デジタルカメラ１の動作
実施の形態におけるデジタルカメラ１の動作を図２のフローチャートにしたがって説明する。
ユーザのキー入力部１３の操作により画像認識撮影モードが設定されると、ＣＰＵ１０は、ＣＣＤ５による被写体の撮像を開始させ、ＣＣＤ５によって撮像された被写体の画像データに対して画像処理を施してバッファメモリ（ＤＲＡＭ８）に記憶し、該記憶した画像データの画像を画像表示部１２に表示させるという、いわゆるスルー画像表示を開始させる（ステップＳ１）。
【００４９】
次いで、ＣＰＵ１０は、ユーザによってシャッタボタンが半押しされたか否かの判断を行う（ステップＳ２）。この判断は、シャッタボタン半押しに対応する操作信号がキー入力部１３から送られてきたか否かにより判断する。
ステップＳ２で、シャッタボタンが半押しされたと判断すると、ＣＰＵ１０は、パンフォーカスによるフォーカス処理を行う（ステップＳ３）。つまり、予め設定されている固定焦点レンズ位置にフォーカスレンズを移動させる。
【００５０】
次いで、ＣＰＵ１０は、第１の画像認識処理を行う（ステップＳ４）。この第１の画像認識処理は、簡単に説明すると、撮像された画像データの画像のどの位置に人の顔があるかを認識する処理のことをいう。まず、ＣＰＵ１０は、予め記憶されている顔の特徴データと撮像された画像データとを比較照合することにより撮像された画像データの中に人の顔の画像データがあるか否かを認識し、人の顔の画像データがあると判断すると、どの位置にその顔の画像データがあるかを認識する。但し、顔の有無の認識と顔の位置の認識とを同時に行なってもよい。
なお、この第１の画像認識処理では、撮像された画像データの画像のどの位置に人の顔があるかを認識できれば十分なので、人の顔の輪郭、目や口など、大まかに人の顔であると認識する程度の画像認識でよい。つまり、その顔が誰の顔であるかを具体的に認識する必要は全くない。
第１の画像認識処理を行うと、ＣＰＵ１０は、画像認識ができたか否かを判断する（ステップＳ５）。つまり、撮像された画像データの画像のどの位置に人の顔があると認識できた場合には、画像認識ができたと判断する。
【００５１】
ステップＳ５で、画像認識ができていないと判断すると、ステップＳ４に戻る。つまり、画像認識ができたと判断するまで第１の画像認識処理を行う。
一方、ステップＳ５で、画像認識ができたと判断すると、ＡＦエリアを該認識した被写体の顔の位置に決定して、ＡＦ処理を行う（ステップＳ６）。ここでは、コントラスト検出方式によるＡＦ処理を行うので、該決定したＡＦエリアのコントラスト値が最も高くなるレンズ位置にフォーカスレンズを移動させる。コントラスト検出方式によるＡＦ処理とは、フォーカスレンズを動かしていき、そのときのＣＣＤ５のコントラストを電気信号に変換し、その波形を解釈して、つまり、高周波成分が最も大きくなるレンズ位置にフォーカスレンズを合わせてピントを合わせるというものである。
【００５２】
なお、決定したＡＦエリアをユーザに対して知らせるために、フォーカスフレームを画像表示部１２に表示させる。このフォーカスフレームとは、ＡＦエリアを示すものである。
図３は、第１の画像認識処理後に表示されたスルー画像及びフォーカスフレームの様子を示すものである。画像表示部１２に表示されている女の子（ここでは、Ａ子という名前にする）等の画像は、ＣＣＤ５によって撮像された画像データであり、２１はフォーカスフレームを示すものである。
【００５３】
次いで、ＣＰＵ１０は、ユーザによってシャッタボタンが全押しされたか否かの判断を行う（ステップＳ７）。この判断は、シャッタボタン全押しに対応する操作信号がキー入力部１３から送られてきたか否かにより判断する。
ステップＳ７で、シャッタボタンが全押しされていないと判断すると、全押しされるまでステップＳ７に留まり、ステップＳ７で、シャッタボタンが全押しされたと判断すると、ＣＰＵ１０は、静止画撮影処理を行う（ステップＳ８）。つまり、ＣＣＤ２に比較的長い出力タイミングで１画面中の偶数ラインの画素信号と、奇数ラインの画素信号を順に出力させて、全面素分のデータをバッファメモリ（ＤＲＡＭ８）に取り込む。ここでは、図３に示すような状態で、ユーザがシャッタボタンを全押ししたものとする。
【００５４】
次いで、ＣＰＵ１０は、該静止画撮影処理により得られた撮影画像データに対して第２の画像認識処理を行う（ステップＳ９）。この第２の画像認識処理は、簡単に説明すると、第１の画像認識処理より精度が高く、単に人の顔が画像内にあるかどうかを認識するだけでなく、被写体の顔が誰の顔であるかを具体的に認識する処理を行う。例えば、肌の色、髪の毛の色、目の位置、鼻の位置、口の位置等の認識、及びそれらの位置関係なども認識し、それらを数値化して数値データを算出し、これを予め記憶しておいた特定の人物の顔画像から認識・算出された数値データと比較照合することにより人物を特定する。なお、画像認識方法は、他にも既に著名な方法が複数あるので、ここでは詳細に説明しない。
【００５５】
第２の画像認識処理を行うと、ＣＰＵ１０は、画像認識することができたか否かを判断する（ステップＳ１０）。つまり、誰の顔であるかを具体的に認識することができたか否かを判断する。
ステップＳ１０で、画像認識ができていないと判断すると、ステップＳ９に戻る。つまり、画像認識ができたと判断するまで第２の画像認識処理を行う。
【００５６】
一方、ステップＳ１０で、画像認識ができたと判断すると、該認識した顔（の人物）に対応するフォルダがあるか否かを判断する（ステップＳ１１）。つまり、一致した顔の数値データと関連付けられているフォルダがフラッシュメモリ１１の中にあるか否かを判断する。
ここでは、Ａ子の顔であると認識するので、Ａ子に対応するフォルダがあるか否かを判断することとなる。つまり、Ａ子のフォルダ（Ａ子の顔の数値データと関連付けられているフォルダ）がフラッシュメモリ１１に作成されている場合などは、Ａ子のフォルダがあるので、該認識した顔に対応するフォルダがあると判断する。
【００５７】
ステップＳ１１で、該認識した顔に対応するフォルダがあると判断した場合、つまり、Ａ子の顔に対応するフォルダがあると判断した場合には、フラッシュメモリ１１にあるＡ子のフォルダに撮影画像データを記録させる。
一方、ステップＳ１１で、該認識した顔に対応するフォルダがないと判断した場合、つまり、Ａ子の顔に対応するフォルダがないと判断した場合には、Ａ子の顔の数値データと関連付けて新しいフォルダを作成し、そこに撮影画像データを記録させる。
【００５８】
Ｃ．以上のように、実施の形態においては、画像認識撮影モードにおいては、ユーザがシャッタボタンを半押しすると、パンフォーカスによるフォーカス処理を行ってから第１の画像認識処理を行うので、高精度に被写体の顔がどこにあるのかを認識することができる。
また、第１の画像認識処理は、人の顔が撮像された画像データの画像の中にあるか、ある場合にはどの位置にあるかどうかを認識する程度の簡易な処理なので、迅速に行なうことができる。
また、画像認識処理により認識された顔の位置にＡＦエリアを決定し、該決定したＡＦエリアでコントラスト検出方式によるＡＦ処理を行うので、高精度に被写体の顔にピントを合わせることができる。
【００５９】
また、被写体の顔にピントを合わせた後に撮影された撮影画像データに対して第２の画像認識処理を行うので、高精度に被写体が誰であるのかを認識することができる。
また、第２の画像認識処理後、該認識した人物に対応するフォルダに記録するので、迅速、且つ、簡単に撮影画像データを検索することができる。また、第２の画像認識処理後、該認識した人物に対応するフォルダがない場合であっても、該認識した人物に対応するフォルダを作成して記録するので、迅速、且つ、簡単に撮影画像データを検索することができる。
【００６０】
なお、上記実施の形態においては、パンフォーカスを行う場合に予め設定されている固定焦点レンズ位置にフォーカスレンズを移動させるようにしたが（図２のステップＳ３）、ユーザにより任意に設定されたレンズ位置にフォーカスレンズを移動させるようにしたり、シャッタボタン半押し前のスルー画像表示中（ステップＳ１〜ステップＳ２）にスルー画像に基づき撮影シーン（屋外か屋内か、絞り開放か否か、光学ズーム倍率等）を判断し、シャッタボタン半押しの直前に判断された撮影シーンに対応する固定焦点レンズ位置にフォーカスレンズを動かすようにしてもよい。
また、パンフォーカスに代えて、該判断された撮影シーンに対応するサーチ範囲（フォーカスレンズ移動範囲）、サーチ間隔（サンプリング間隔）などでコントラスト検出方式によるＡＦ処理を行うようにしてもよい。このときは、迅速にＡＦ処理を行うべく、図２のステップＳ６のコントラスト検出方式によるＡＦ処理よりも、サーチ範囲を狭くしたり、サーチ間隔を広くしたりする。
また、撮影シーンを判断することなく、単純に図２のステップＳ６のコントラスト検出方式によるＡＦ処理よりも、サーチ範囲を狭くしたり、サーチ間隔を広くした簡易なＡＦ処理を行なうようにしてもよい。
つまり、図２のステップＳ３におけるＡＦ処理は、第１の画像認識処理に障害のない程度に被写体に対してピントを合わせるフォーカス処理（このフォーカス処理を簡易フォーカス処理と呼ぶ）であればなんでもよい。
【００６１】
また、シャッタボタン半押し後に、簡易なフォーカス動作を行なってから第１の画像認識処理を行うようにしたが、シャッタボタン半押し前のスルー画像表示中や静止画撮影処理後のスルー画像表示への復帰時において、簡易なフォーカス動作を行なうようにしてもよい。これにより、シャッタボタン半押し後の処理を早めることができる。
また、シャッタボタン半押し前のスルー画像表示中に、簡易フォーカスを行なうとともに、第１の画像認識処理を行うようにしてもよい。これにより、シャッタボタン半押し後は、コントラスト検出方式によるＡＦ処理と、第２の画像認識処理とを行なうだけでよいので、シャッタボタン半押し後の処理を更に早めることができる。
【００６２】
また、第２の画像認識処理により認識された人物に対応するフォルダがない場合には、該人物に対応するフォルダを新たに作成し、そのフォルダに撮影画像データを記録するようにしたが、フォルダを作成せずにそのまま撮影画像データを記録するようにしてもよい。該認識した人物に対応するフォルダがない場合には、そこまで頻繁に撮影する人物でないと考えることができるからである。
【００６３】
また、第２の画像認識処理により認識された人物に対応するフォルダが２つ以上ある場合には、全てのフォルダに記録するようにしてもよい。例えば、撮影画像データにパパとママとＡ子とが写っている場合には、該撮影画像データは、パパに対応するフォルダと、ママに対応するフォルダと、Ａ子に対応するフォルダとに記録されることとなる。ここで注意しなければならないのは、記録する撮影画像データは１つであり、撮影画像データのヘッダーに、パパのフォルダ、ママのフォルダ、Ａ子のフォルダに属する情報を記録しておくようにする。
また、第２の画像認識処理により認識された人物に対応するフォルダに撮影画像データを記録するようにしたが、単に撮影画像データに関連付けて認識された人物を示す情報を記録するようにしてもよい。
また、第１、第２の画像認識処理において、人の顔を認識するようにしたが、これに限定されず、例えば、自動車、動物、植物といったものを認識するようにしてもよく、要は被写体であれば何でもよい。
また、第２の画像認識処理による認識結果に基づいて撮影画像データを分類して記録するようにしたが、第２の画像認識処理による認識結果を他の用途に用いるようにしてもよい。
【００６４】
更に、上記実施の形態におけるデジタルカメラ１は、上記の実施の形態に限定されるものではなく、カメラ付き携帯電話、カメラ付きＰＤＡ、カメラ付きパソコン、カメラ付きＩＣレコーダ、又はデジタルビデオカメラ等でもよく、要は被写体を撮影することができる機器であれば何でもよい。
【符号の説明】
【００６５】
１      デジタルカメラ
２      撮影レンズ
３      レンズ駆動ブロック
４      絞り兼用シャッタ
５      ＣＣＤ
６      ＴＧ
７      ユニット回路
８      ＤＲＡＭ
９      メモリ
１０    ＣＰＵ
１１    フラッシュメモリ
１２    画像表示部
１３    キー入力部
１４    音声処理部
１５    ストロボ駆動部
１６    ストロボ発光部
【図１】
2011257772.tif 000003
【図２】
2011257772.tif 000004
【図３】
2011257772.tif 000005
【手続補正書】
【提出日】平成23年8月30日(2011.8.30)
【手続補正１】
【補正対象書類名】明細書
【補正対象項目名】０００６
【補正方法】変更
【補正の内容】
【０００６】
上記目的達成のため、請求項１記載の発明による撮像装置は、被写体を撮像する撮像手段と、
被写体に対して所定のフォーカス動作を行なう第１のフォーカス制御手段と、
前記第１のフォーカス制御手段による所定のフォーカス動作が行なわれた後に、前記撮像手段により得られた画像データに基づいて、被写体位置を認識する画像認識手段と、
前記画像認識手段により認識された被写体位置の画像のピントが合う合焦レンズ位置にフォーカスレンズを移動させる第２のフォーカス制御手段と、
前記所定のフォーカス動作が行なわれる前に、前記撮像手段により得られた画像データに基づいて、撮影シーンを判定する判定手段と、
を備え、
前記第１のフォーカス制御手段は、
前記第２のフォーカス制御手段よりも簡易又は迅速なフォーカス動作を行なうものであり、前記判定手段により判定された撮影シーンに応じたサーチ距離範囲及び／又はサーチ間隔で、フォーカスレンズのレンズ位置を変えていくことにより前記撮像手段により得られた画像データのＡＦ評価値を検出して、該検出した複数のＡＦ評価値に基づいてフォーカスレンズを合焦レンズ位置に移動させることを特徴とする。
【手続補正２】
【補正対象書類名】明細書
【補正対象項目名】０００７
【補正方法】変更
【補正の内容】
【０００７】
また、請求項２記載の発明による撮像装置は、被写体を撮像する撮像手段と、
被写体に対して所定のフォーカス動作を行なう第１のフォーカス制御手段と、
前記第１のフォーカス制御手段による所定のフォーカス動作が行なわれた後に、前記撮像手段により得られた画像データに基づいて、被写体位置を認識する画像認識手段と、
前記画像認識手段により認識された被写体位置の画像のピントが合う合焦レンズ位置にフォーカスレンズを移動させる第２のフォーカス制御手段と、
前記所定のフォーカス動作が行なわれる前に、前記撮像手段により得られた画像データに基づいて、撮影シーンを判定する判定手段と、
を備え、
前記第１のフォーカス制御手段は、
前記第２のフォーカス制御手段よりも簡易又は迅速なフォーカス動作を行なうものであり、前記判定手段により判定された撮影シーンに対応する１箇所のレンズ位置にフォーカスレンズを移動させることを特徴とする。
【手続補正３】
【補正対象書類名】明細書
【補正対象項目名】０００８
【補正方法】変更
【補正の内容】
【０００８】
また、請求項３記載の発明によるプログラムは、被写体を撮像する撮像処理と、
被写体に対して所定のフォーカス動作を行なう第１のフォーカス制御処理と、
前記第１のフォーカス制御処理による所定のフォーカス動作が行なわれた後に、前記撮像処理により得られた画像データに基づいて、被写体位置を認識する画像認識処理と、
前記画像認識処理により認識された被写体位置の画像のピントが合う合焦レンズ位置にフォーカスレンズを移動させる第２のフォーカス制御処理と、
前記所定のフォーカス動作が行なわれる前に、前記撮像処理により得られた画像データに基づいて、撮影シーンを判定する判定処理と、
をコンピュータで実行させるプログラムであり、
前記第１のフォーカス制御処理は、
前記第２のフォーカス制御処理よりも簡易又は迅速なフォーカス動作であって、前記判定処理により判定された撮影シーンに応じたサーチ距離範囲及び／又はサーチ間隔で、フォーカスレンズのレンズ位置を変えていくことにより前記撮像処理により得られた画像データのＡＦ評価値を検出して、該検出した複数のＡＦ評価値に基づいてフォーカスレンズを合焦レンズ位置に移動させることを特徴とする。
【手続補正４】
【補正対象書類名】明細書
【補正対象項目名】０００９
【補正方法】変更
【補正の内容】
【０００９】
また、請求項４記載の発明によるプログラムは、被写体を撮像する撮像処理と、
被写体に対して所定のフォーカス動作を行なう第１のフォーカス制御処理と、
前記第１のフォーカス制御処理による所定のフォーカス動作が行なわれた後に、前記撮像処理により得られた画像データに基づいて、被写体位置を認識する画像認識処理と、
前記画像認識処理により認識された被写体位置の画像のピントが合う合焦レンズ位置にフォーカスレンズを移動させる第２のフォーカス制御処理と、
前記所定のフォーカス動作が行なわれる前に、前記撮像処理により得られた画像データに基づいて、撮影シーンを判定する判定処理と、
をコンピュータで実行させるプログラムであり、
前記第１のフォーカス制御処理は、
前記第２のフォーカス制御処理よりも簡易又は迅速なフォーカス動作であって、前記判定処理により判定された撮影シーンに対応する１箇所のレンズ位置にフォーカスレンズを移動させることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
本発明によれば、迅速、且つ、高精度に被写体を認識してピントを合わせることができる。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】特許請求の範囲
【補正対象項目名】全文
【補正方法】変更
【補正の内容】
【特許請求の範囲】
【請求項１】
被写体を撮像する撮像手段と、
被写体に対して所定のフォーカス動作を行なう第１のフォーカス制御手段と、
前記第１のフォーカス制御手段による所定のフォーカス動作が行なわれた後に、前記撮像手段により得られた画像データに基づいて、被写体位置を認識する画像認識手段と、
前記画像認識手段により認識された被写体位置の画像のピントが合う合焦レンズ位置にフォーカスレンズを移動させる第２のフォーカス制御手段と、
前記所定のフォーカス動作が行なわれる前に、前記撮像手段により得られた画像データに基づいて、撮影シーンを判定する判定手段と、
を備え、
前記第１のフォーカス制御手段は、
前記第２のフォーカス制御手段よりも簡易又は迅速なフォーカス動作を行なうものであり、前記判定手段により判定された撮影シーンに応じたサーチ距離範囲及び／又はサーチ間隔で、フォーカスレンズのレンズ位置を変えていくことにより前記撮像手段により得られた画像データのＡＦ評価値を検出して、該検出した複数のＡＦ評価値に基づいてフォーカスレンズを合焦レンズ位置に移動させることを特徴とする撮像装置。
【請求項２】
被写体を撮像する撮像手段と、
被写体に対して所定のフォーカス動作を行なう第１のフォーカス制御手段と、
前記第１のフォーカス制御手段による所定のフォーカス動作が行なわれた後に、前記撮像手段により得られた画像データに基づいて、被写体位置を認識する画像認識手段と、
前記画像認識手段により認識された被写体位置の画像のピントが合う合焦レンズ位置にフォーカスレンズを移動させる第２のフォーカス制御手段と、
前記所定のフォーカス動作が行なわれる前に、前記撮像手段により得られた画像データに基づいて、撮影シーンを判定する判定手段と、
を備え、
前記第１のフォーカス制御手段は、
前記第２のフォーカス制御手段よりも簡易又は迅速なフォーカス動作を行なうものであり、前記判定手段により判定された撮影シーンに対応する１箇所のレンズ位置にフォーカスレンズを移動させることを特徴とする撮像装置。
【請求項３】
被写体を撮像する撮像処理と、
被写体に対して所定のフォーカス動作を行なう第１のフォーカス制御処理と、
前記第１のフォーカス制御処理による所定のフォーカス動作が行なわれた後に、前記撮像処理により得られた画像データに基づいて、被写体位置を認識する画像認識処理と、
前記画像認識処理により認識された被写体位置の画像のピントが合う合焦レンズ位置にフォーカスレンズを移動させる第２のフォーカス制御処理と、
前記所定のフォーカス動作が行なわれる前に、前記撮像処理により得られた画像データに基づいて、撮影シーンを判定する判定処理と、
をコンピュータで実行させるプログラムであり、
前記第１のフォーカス制御処理は、
前記第２のフォーカス制御処理よりも簡易又は迅速なフォーカス動作であって、前記判定処理により判定された撮影シーンに応じたサーチ距離範囲及び／又はサーチ間隔で、フォーカスレンズのレンズ位置を変えていくことにより前記撮像処理により得られた画像データのＡＦ評価値を検出して、該検出した複数のＡＦ評価値に基づいてフォーカスレンズを合焦レンズ位置に移動させることを特徴とするプログラム。
【請求項４】
被写体を撮像する撮像処理と、
被写体に対して所定のフォーカス動作を行なう第１のフォーカス制御処理と、
前記第１のフォーカス制御処理による所定のフォーカス動作が行なわれた後に、前記撮像処理により得られた画像データに基づいて、被写体位置を認識する画像認識処理と、
前記画像認識処理により認識された被写体位置の画像のピントが合う合焦レンズ位置にフォーカスレンズを移動させる第２のフォーカス制御処理と、
前記所定のフォーカス動作が行なわれる前に、前記撮像処理により得られた画像データに基づいて、撮影シーンを判定する判定処理と、
をコンピュータで実行させるプログラムであり、
前記第１のフォーカス制御処理は、
前記第２のフォーカス制御処理よりも簡易又は迅速なフォーカス動作であって、前記判定処理により判定された撮影シーンに対応する１箇所のレンズ位置にフォーカスレンズを移動させることを特徴とするプログラム。